(57)【要約】　　　（修正有）【課題】振動、揺動を受けて篩網の中心付近に集まってきた被篩分材料中の異物を異物捕集ポット中に捕集し、当該異物を吸い出し、排出することのできる篩網、篩装置を提供する。【解決手段】外周枠２の中心に、被篩分材料中の異物を捕集する異物捕集ポット７を配置し、前記外周枠と前記異物捕集ポットとの間に篩分を行う網体６を設置して篩網１を構成し、この篩網で篩装置を構成するハウジングの下部開口を閉塞した。また、異物捕集ポット中に捕集した異物を排出する排出手段を、吸引装置と、一端側が当該吸引装置に連結され他端側が篩網の異物捕集ポットの上方に位置する吸出パイプとによって構成して課題を解決した。【選択図】　　　　図１
0003096893.tif 000002
【実用新案登録請求の範囲】
【請求項１】
篩分を行う網体の中心に被篩分材料中の異物を捕集する異物捕集ポットを備えたことを特徴とする篩網。
【請求項２】
外周枠の中心に、被篩分材料中の異物を捕集する異物捕集ポットを配置し、前記外周枠と前記異物捕集ポットとの間に篩分を行う網体を設置したことを特徴とする篩網。
【請求項３】
下部開口部を篩網で閉塞した筒状のハウジングと、
当該ハウジング内に被篩分材料を供給する材料供給手段と、
前記ハウジング内に供給した被篩分材料を前記篩網に通過させて篩い分ける篩分手段と、
篩い分けされた異物を排出する排出手段とを備えた篩分装置において、
前記篩網は、篩分を行う網体の中心に被篩分材料中の異物を捕集する異物捕集ポットを備えた篩網、又は、外周枠の中心に、被篩分材料中の異物を捕集する異物捕集ポットを配置し、前記外周枠と前記異物捕集ポットとの間に篩分を行う網体を設置した篩網としたことを特徴とする篩分装置。
【請求項４】
下部開口部を篩網で閉塞した筒状のハウジングと、
当該ハウジング内に被篩分材料を供給する材料供給手段と、
前記ハウジング内に供給した被篩分材料を前記篩網に通過させて篩い分ける篩分手段と、
篩い分けされた異物を排出する排出手段とを備えた篩分装置において、
前記篩網は、篩分を行う網体の中心に被篩分材料中の異物を捕集する異物捕集ポットを備えた篩網、又は、外周枠の中心に、被篩分材料中の異物を捕集する異物捕集ポットを配置し、前記外周枠と前記異物捕集ポットとの間に篩分を行う網体を設置した篩網とし、
前記材料供給手段は、前記ハウジングの側壁に当該側壁の接線方向に沿って材料を供給する材料供給パイプと、前記側壁に穿設し、前記材料供給パイプを接続した供給口であることを特徴とする篩分装置。
【請求項５】
下部開口部を篩網で閉塞した筒状のハウジングと、
当該ハウジング内に被篩分材料を供給する材料供給手段と、
前記ハウジング内に供給した被篩分材料を前記篩網に通過させて篩い分ける篩分手段と、
篩い分けされた異物を排出する排出手段とを備えた篩分装置において、
前記篩網は、篩分を行う網体の中心に被篩分材料中の異物を捕集する異物捕集ポットを備えた篩網、又は、外周枠の中心に、被篩分材料中の異物を捕集する異物捕集ポットを配置し、前記外周枠と前記異物捕集ポットとの間に篩分を行う網体を設置した篩網とし、
前記排出手段は、吸引装置と、一端側が当該吸引装置に連結され他端側が篩網の異物捕集ポットの上方に位置する吸出パイプとによって構成されたことを特徴とする篩分装置。
【考案の詳細な説明】
【０００１】
【考案の属する技術分野】
この考案は、小麦粉等の粉粒体を微粒粉（製品）と異物とに篩い分けることができ、特に異物を篩網の中心付近に集めて捕集し、当該捕集した異物を吸引除去できる篩網、篩装置に関する。
【０００２】
【従来の技術】
従来、粉粒物を篩い分ける装置は、種々の形式のものが提案されている（実開昭５４−１５６８８２、特開平１１−３３４８８、特開２０００−１３５４７４）。
【０００３】
【特許文献１】実開昭５４−１５６８８２号公報
【０００４】
【特許文献２】特開平１１−３３４８８号公報
【０００５】
【特許文献３】特開２０００−１３５４７４号公報
【０００６】
【発明により解決しようとする課題】
前記従来の篩、篩装置は、そのほとんどが篩網を通過した微粒粉（製品）の排出口、異物の排出口の双方を篩網の外側（篩本体の外側壁）に配置して取り付けてある。
【０００７】
しかし、本願の発明者等は、鋭意研究の結果、篩分をすべく篩本体（篩網）を振動、揺動させると、被篩分材料中の異物は、篩本体の外周付近に集まることは少なく、篩本体の中心付近、すなわち篩網の中心付近に集中することを見出した。
【０００８】
従って、従来の篩、篩装置のように異物の排出口を篩網の外側（篩本体の外側壁）に配置すると、篩本体の外側壁付近に分布し、未だ篩網を通過していない微粒粉をも排出してしまい、材料の無駄が生じ、さらに篩網の中心付近に集中した異物を完全に排出することは困難であり問題であった。
【０００９】
また、従来の篩、篩装置では、一旦、異物が篩網の中心付近に集まってきても、当該異物が振動、揺動によって再び篩網上で移動し、その際、篩網を損傷するおそれもあり問題であった。
【００１０】
【課題を解決するための手段】
この考案は、振動、揺動させた被篩分材料中の異物は篩網の中心付近に集中するとの知見に基づき、篩網の中心に被篩分材料中の異物を捕集する異物捕集ポットを設置することによって、前記従来の篩、篩装置の問題点を改善し、より確実で、効率よい篩い分けを実現したのである。
【００１１】
すなわち本願の篩網の考案は、篩分を行う網体の中心に被篩分材料中の異物を捕集する異物捕集ポットを備えたことを特徴とする篩網（請求項１）であり、また、外周枠の中心に、被篩分材料中の異物を捕集する異物捕集ポットを配置し、前記外周枠と前記異物捕集ポットとの間に篩分を行う網体を設置したことを特徴とする篩網（請求項２）である。
【００１２】
また、篩装置の考案は、下部開口部を篩網で閉塞した筒状のハウジングと、当該ハウジング内に被篩材料を供給する材料供給手段と、前記ハウジング内に供給された被篩材料を前記篩網に通過させて篩い分ける篩分手段と、篩い分けされた異物を排出する排出手段とを備えた篩分装置において、前記篩網は、篩分を行う網体の中心に被篩分材料中の異物を捕集する異物捕集ポットを備えたことを特徴とする篩網（請求項１）、又は、外周枠の中心に、被篩分材料中の異物を捕集する異物捕集ポットを配置し、前記外周枠と前記異物捕集ポットとの間に篩分を行う網体を設置したことを特徴とする篩網（請求項２）としたことを特徴とする篩分装置である（請求項３）。
【００１３】
ここで、前記材料供給手段は、前記ハウジングの側壁に当該側壁の接線方向に沿って材料を供給する材料供給パイプと、前記側壁に穿設し、前記材料供給パイプを接続した供給口とすることができる（請求項４）。
【００１４】
また、前記排出手段は、吸引装置と、一端側が当該吸引装置に連結され他端側が篩網の異物捕集ポットの上方に位置する吸出パイプとによって構成された物とすることができる（請求項５）。
【００１５】
但し、前記材料供給手段、前記篩分手段、排出手段は、通常、従来、多くの篩分装置が備えているものである。従って、従来の形式の篩装置に備えられた篩網を、異物捕集ポットを備えたこの考案の篩網と取り替えてこの発明の篩装置とすることができ、前記材料供給手段、前記篩分手段、排出手段は、これらの形式のものに限定されることはない。
【００１６】
【考案の実施の形態】
この考案の篩網は、振動、揺動させた被篩分材料中の異物は篩網の中心付近に集中するとの知見に基づくものであるから、篩網の中心に、篩網の中心付近に集中する異物を捕集することができる凹部が設けられていればよい。
【００１７】
例えば、網体を篩網の中心部で凹形に成形して異物捕集ポットとしてもよいし、金属製やプラスチック製の凹形の皿状部材を篩網の中心部に嵌め込んで異物捕集ポットとしてもよい。また、例えば円形の外周枠の中心に、被篩分材料中の異物を捕集する異物捕集ポットとなる皿状部材を配置し、前記外周枠と前記異物捕集ポットとの間に篩分を行う網体を設置して構成することもできる。このとき、外周枠と異物捕集ポットとなる皿状部材を補強部材で連結し、網体を設置するようにすれば、強度を確保することができる。
【００１８】
また、この考案の篩網は、例えば、小麦粉など、どのような被篩分材料の篩分に用いることができるが、異物捕集ポットの大きさ（直径、深さ）は、篩本体の大きさや、想定される異物の大きさや量に応じて定めればよい。
【００１９】
なお、網体は従来あるどのような材質であってもよいが、衛生面を考慮して、ステンレス鋼や、ナイロン製とすることが望ましい。
【００２０】
このように構成される篩網を、材料供給手段、篩分手段を備えた篩装置を構成する筒状のハウジングの下部に装着し、当該ハウジングの下部開口部を閉塞すればこの考案の篩分装置とすることができる。
【００２１】
【実施例】
次にこの考案の実施例について説明する。この実施例は、主として小麦粉の篩い分けを行い、小麦粉中の異物、例えば、虫や製粉時の混入物などの異物を
［構成］
この考案の篩網１は、円環状の外周枠２の中心に円環状の内枠３を配置してこれらを補強材４、４で連結したスクリーン枠５（図１（ａ））に、網体６を張設設置し、さらに、内枠３に異物捕集ポット７を嵌装して構成されている（図１（ｂ））。スクリーン枠５の直径Ｄ１は１０００ｍｍのもの、網体６は網目５００μｍのナイロンシーブとした。
【００２２】
異物捕集ポット７は、内径Ｄ２が１００ｍｍで、深さｄが１０ｍｍの凹部７ａを備えている。また、内枠３へは、ボルト８、８で固定した。以上のように構成した篩網１は、篩装置９に装着して使用する。なお、篩網１は、異物捕集ポット７を内枠３へ接着剤で固定して構成したものを使用することもできる。
【００２３】
篩装置９を構成する筒状のハウジング１０は上部開口部１０ａ（直径Ｄ３＝６００ｍｍ）が形成されるように肩部１０ｃを連設し、当該上部開口部１０ａと、下部開口部１０ｄに、それぞれフランジ１０ｂ、１０ｅを形成する。
【００２４】
下部開口１０ｄは、篩網１の外周枠２をフランジ１０ｅに掛止して、篩網１によって閉塞する。また、篩網１から３０ｍｍ隔てた下側にパンチングメタル１３を下部開口部１０ｄの形状に合わせて張設する。篩網１とパンチングメタル１３との間には複数の球体１４、１４を封入しておく。この球体１４、１４は、篩網１を振動、揺動させたときに篩網１に接触させて、篩網１の目詰まりを防止するものである。
【００２５】
また、上部開口部１０ａにも、下側にパンチングメタル１５、その上側に篩網１６を張設し、パンチングメタル１５と篩網１６との間に複数の球体１４、１４を封入する。ここで、篩網１６は、異物捕集ポット７を備えた篩網１とは異なり、枠体に網体を張設しただけのものである。
【００２６】
以上のように篩網１、パンチングメタル１３を張設した下部開口部１０ｄには、下蓋１２を取り付け、篩網１６、パンチングメタル１５を張設した上部開口部１０ａには上蓋１１を取り付けて、タンク状の密封構造とする。
【００２７】
上蓋１１の上部にはエアーバイパスパイプ１７が接続されている。また、下蓋１２内には微粒粉（製品）を回収するためのスロープ板１８が装備されている。このスロープ板１８は、回収パイプ１９に連接されており、回収パイプ１９は、エアーバイパスパイプ１７と合流するように接続されている。
【００２８】
ハウジング１０の側壁には、被篩分材料である小麦粉をエアーと共にハウジング１０内へ供給する供給口２０が当該側壁の接線に沿って穿設されている。供給口２０には、材料供給パイプ２１（図５）が接続されている。
【００２９】
ハウジング１０の外部には篩い分けのための振動、揺動を篩網１に付与するモータ（不図示）と、当該モータによって振動、揺動付与機構（不図示）が取り付けられている。
【００３０】
また、ハウジング１０には、ハウジング１０の内外へ貫通する異物の吸出パイプ２２が取り付けられている。この異物の吸出パイプ２２のハウジング１０内に位置する先端側は内側先端開口２２ａが異物捕集ポット７の上側に位置するように屈曲成形されている。また、ハウジング１０外に位置する外側先端開口２２ｂにはバタフライバルブ２３が装着されている。さらに、吸出パイプ２２には、バタフライバルブ２３の先に不図示の吸引装置が接続されている。
【００３１】
以上のように構成された篩装置９は、殺虫、篩い分け、計量、袋詰め等を一貫して行う空気輸送ライン中に組み込まれて使用される。空気輸送ライン中に組み込まれた篩装置９における、篩い分けの工程について、以下に説明する。
【００３２】
［篩い分け工程］
まず、ハウジング１０の側壁に設けた供給口２０から被篩分材料となる小麦粉をハジング１０の側壁の接線方向に沿って、矢示２６のように高速エアーと共にハウジング１０内へ供給する。
【００３３】
また、このときモータによって振動、揺動付与機構を駆動し、篩網１を振動又は揺動させる。これにより、被篩分材料となる小麦粉のうち微粒粉となったものを篩網１に通過させて矢示２７のように落下させる。
【００３４】
ハウジング１０の下部開口部に取り付けられた篩網１を通過した小麦粉の微粒粉は、スロープ板１８上に落下して滑り落ち、回収パイプ１９を通って、矢示２８のようにエアーバイパス１７へ排出される。
【００３５】
また、供給口２０から供給されたエアーは、ハウジング１０の上部開口部１０ａに取り付けたパンチングメタル１５、篩網１６を通過して、矢示２９、３０のようにエアーバイパスパイプ１７へ排出される。このとき、小麦粉は篩網１６によって篩い分け作用を受けるので、エアーバイパスパイプ１７へ排出される小麦粉は、微粒分となったものである。
【００３６】
このように、ハウジング１０の上下の開口部（１０ａ、１０ｄ）で篩い分け作用を受け、エアーバイパスパイプ１７へ排出された小麦粉の微粒粉は、エアーによって次工程を行う機器へ送給する。
【００３７】
一方、異物２４は、篩網１が振動、揺動することによって徐々に篩網１の中心付近に集まり、異物２４を篩網１の中心に位置する異物捕集ポット７に捕集される（図３）。
【００３８】
異物捕集ポット７に捕集された異物２４は、吸引装置に接続した吸引パイプ２２によって矢示３１のように吸引排出する。この吸引排出は、篩い分けを行っている間、行っていてもよいが、篩い分け工程が終了したときに行う容易にしてもよい。また、ハウジング１０の側壁に設けた点検窓２５から内部を観察し、異物捕集ポット７に異物２４が捕集されていることが確認できたときにバタフライバルブ２３を操作して、異物２４を回収するようにしてもよい。
【００３９】
なお、一旦中心付近に集まってきた異物２４は、凹部７ａを備えた異物捕集ポット７に確実に捕集される。すなわち、異物捕集ポット７を備えていないと折角中心付近に集まってきた異物２４も、供給口２０から吹き込まれる高速エアー等の影響を受けて、散乱するおそれがある。異物２４として、例えば金属片等が混入していた場合には、篩網１のシーブ面を傷つけ、損傷させるおそれがあるが、異物捕集ポット７によって確実に捕集すれば、このような篩網１の損傷のおそれも軽減できる。
【００４０】
以上、この考案の好ましい実施例を添付図面を参照して説明したが、この考案はかかる実施の形態に限定されるものではなく、実用新案登録請求の範囲の記載から把握される技術的範囲において種々な形態に変更可能である。
【００４１】
【考案の効果】
この考案によれば、篩網を篩分を行う網体の中心に被篩分材料中の異物を捕集する異物捕集ポットを備えたもの、また、外周枠の中心に、被篩分材料中の異物を捕集する異物捕集ポットを配置し、前記外周枠と前記異物捕集ポットとの間に篩分を行う網体を設置したものとしたので、篩装置に装着して使用したときに、被篩分材料中の異物を確実に異物捕集ポットに捕集することができる。また、異物捕集ポットは、凹部を備えているので、一旦中心付近に集まってきて、異物捕集ポットに捕集された異物は、異物捕集ポットから飛び出すおそれが少なく、異物によってシーブ面を傷つけるおそれが軽減される。
【００４２】
さらに、異物の吸引手段を設けたので、異物の回収が、確実容易に行える。
【図面の簡単な説明】
【図１】（ａ）この考案の篩網のスクリーン枠の平面図。
（ｂ）（ａ）図示のスクリーン枠へ網体を張設した篩網の平面図。
【図２】図１（ｂ）図示の篩網の異物捕集ポット部の拡大平面図。
【図３】同じく異物補集ポット部の拡大一部断面図。
【図４】この考案の篩装置の拡大一部断面図。
【図５】図４図示の篩装置の材料供給パイプを装着した側の側面図。
【符号の説明】
１　篩網
２　外周枠
３　内枠
４　補強材
５　スクリーン枠
６　網体
７　異物捕集ポット
９　篩装置
１０　ハウジング
１１　上蓋
１２　下蓋
１３、１５　パンチングメタル
１４　球体
１６　篩網
１７　エアーバイパスパイプ
２０　供給口
２２　吸出パイプ
【図１】
0003096893.tif 000003
【図２】
0003096893.tif 000004
【図３】
0003096893.tif 000005
【図４】
0003096893.tif 000006
【図５】
0003096893.tif 000007
【手続補正書】
【提出日】平成15年2月24日(2003.2.24)
【手続補正１】
【補正対象書類名】明細書
【補正対象項目名】００２１
【補正方法】変更
【補正の内容】
【００２１】
次にこの考案の実施例について説明する。この実施例は、主として小麦粉の篩い分けを行い、小麦粉中の異物、例えば、虫や製粉時の混入物などの異物を篩い分けて除去する篩網及び篩装置について説明する。
［構成］
この考案の篩網１は、円環状の外周枠２の中心に円環状の内枠３を配置してこれらを補強材４、４で連結したスクリーン枠５（図１（ａ））に、網体６を張設設置し、さらに、内枠３に異物捕集ポット７を嵌装して構成されている（図１（ｂ））。スクリーン枠５の直径Ｄ１は１０００ｍｍのもの、網体６は網目５００μｍのナイロンシーブとした。